(57)【特許請求の範囲】
【請求項１】
枠体に障子を閉じ位置と開き位置に渡って面内方向に移動自在に装着した建具であって、
前記障子の上框は、面外方向一側面に開口し、かつ面外方向に向い、上下方向に対向した上部と下部を有した凹陥部を長手方向に連続して有し、
前記枠体の上枠に、面外方向に向かう突部を有した外れ止め部品が、その突部が前記上框の凹陥部内に長手方向に相対移動可能に入り込み、突部が凹陥部の上部及び下部と上下方向のクリアランスを有してそれぞれ対向するように取り付けられ、
前記凹陥部の下部と突部との間の上下方向のクリアランスが、前記障子の下框と枠体の下枠との上下方向の掛かり代より小さく、
前記外れ止め部品は、取付部と、この取付部に設けた垂下部と、この垂下部に設けた面外方向に向かう突部とでほぼコ字形状で、
その取付部を上枠における障子の上方に固着することで、突部が上框の凹陥部内に入り込むようにし、
前記外れ止め部品の取付部は上枠に、障子が開き位置のときには突部が一方の縦框と干渉しないと共に、閉じ位置のときには突部が他方の縦框と干渉しないように取り付けられ、
前記外れ止め部品の取付部の面内方向寸法は突部よりも長く、障子が開き位置のときには面内方向一端寄りの固着部が障子よりも面内方向一側方に突出し、障子が閉じ位置のときには面内方向他端寄りの固着部が障子よりも面内方向他側方に突出するようにしたことを特徴とする建具。
【請求項２】
枠体に障子を閉じ位置と開き位置に渡って面内方向に移動自在に装着した建具であって、
前記障子の上框は、面外方向一側面に開口し、かつ面外方向に向い、上下方向に対向した上部と下部を有した凹陥部を長手方向に連続して有し、
前記枠体の上枠に、面外方向に向かう突部を有した外れ止め部品が、その突部が前記上框の凹陥部内に長手方向に相対移動可能に入り込み、突部が凹陥部の上部及び下部と上下方向のクリアランスを有してそれぞれ対向するように取り付けられ、
前記凹陥部の下部と突部との間の上下方向のクリアランスが、前記障子の下框と枠体の下枠との上下方向の掛かり代より小さく、
前記外れ止め部品は、取付部と、この取付部に設けた垂下部と、この垂下部に設けた面外方向に向かう突部でほぼクランク形状で、
その取付部を、上枠における障子よりも面外方向他側方にずれた位置に取り付けることで、その突部を前記障子の上框の凹陥部内に入り込むようにし、
前記外れ止め部品の取付部を、上枠における枠体に装着した一方の障子の上方に取り付け、その突部を他方の障子の上框の凹陥部に入り込むようにし、
前記一方の障子が閉じ位置で、他方の障子が開き位置のときには、取付部の面内方向一端寄りの固着部が両方の障子よりも面内方向一側方に突出し、
前記一方の障子が開き位置で、他方の障子が閉じ位置のときには、取付部の面内方向他端寄りの固着部が両方の障子よりも面内方向他側方に突出するようにしたことを特徴とする建具。
【発明の詳細な説明】
【技術分野】
【０００１】
本発明は、引違い窓、片引き窓などの枠体に障子を開き位置と閉じ位置とに渡って面内方向に移動自在に装着した建具に関する。
【背景技術】
【０００２】
枠体に室内側障子と室外側障子を開き位置と閉じ位置とに渡って面内方向に移動自在に装着した引違い窓においては、室内側障子、室外側障子の障子上部（上框）と上枠の上レールが上下方向に掛かり合うと共に、室内側障子、室外側障子の障子下部（下框）と下枠の下レールが上下方向に掛かり合うことで、室内側障子、室外側障子が枠体の面外方向に動かないようにして枠体から外れないようにしている。
しかしながら、室外側障子が不意に持ち上がった場合に、障子上部と上レールの掛かり代が大きくなるが、障子下部と下レールの掛かり代が小さくなり、障子下部が枠体の面外方向の室外側に動いて室外側障子が枠体から外れ、最悪の場合には室外側障子が枠体から室外側に落下することがある。
また、経年変化や障子重量で下枠が垂れ下がり、障子上部と上レールの掛かり代が小さくなった場合には、障子上部が枠体の面外方向に動き室外側障子が枠体から外れて室外側に落下することがある。
前述のことは室内側障子も同様であると共に、片引き窓においても障子が同様に外れて落下することがある。
【０００３】
前述のように室外側障子が枠体から外れて落下することを防止できる引違い窓が特許文献１に開示されている。
すなわち、上枠の上レールに外れ止め材を取り付け、障子上部である上框の上向き凹部に外れ止め材が入り込むようにし、室外側障子が持ち上がった場合には上框の上向き凹部の底部が外れ止め材に干渉して持ち上がり量を制限することで、障子下部である下框と下レールの掛かり代が小さくなるようにして室外側障子が枠体から外れないようにする。
また、下枠が垂れ下がって上框と障子上部の掛かり代が小さくなったり、万が一障子下部が下レールから外れて室外側障子が枠体から落下しようとした場合に、上框の係止縁が外れ止め材の係止部に係止して上框が上レールから外れることを防止することで、室外側障子が枠体から落下しないようにしている。
【先行技術文献】
【特許文献】
【０００４】
【特許文献１】特公平１−２７２２８号公報
【発明の概要】
【発明が解決しようとする課題】
【０００５】
前述した従来の引違い窓は、上框の係止縁が外れ止め材の係止部に係止することで上框が上レールから外れることを防止しているので、室外側障子を枠体に装着する際に、外れ止め材の係止部が上框の係止縁に干渉するから、上框の係止縁の長手方向の一部分を切欠き、その切欠き部が外れ止め材の係止部に合致するようにして室外側障子を枠体に装着しているので、重い室外側障子を持ち上げて上框の切欠き部を外れ止め材の係止部に位置決めしながら切欠き部を係止部に挿通しなければならず、障子の装着が大変面倒である。
【０００６】
本発明の目的は、障子が不意に持ち上がった場合に障子が枠体から外れることがなく、万が一下枠から下框が外れた場合、下枠が垂れ下がり変形した場合に障子が枠体から落下しないようにでき、しかも、障子を枠体に簡単に装着できるようにした建具とすることである。
【課題を解決するための手段】
【０００７】
第１の本発明は、枠体に障子を閉じ位置と開き位置に渡って面内方向に移動自在に装着した建具であって、
前記障子の上框は、面外方向一側面に開口し、かつ面外方向に向い、上下方向に対向した上部と下部を有した凹陥部を長手方向に連続して有し、
前記枠体の上枠に、面外方向に向かう突部を有した外れ止め部品が、その突部が前記上框の凹陥部内に長手方向に相対移動可能に入り込み、突部が凹陥部の上部及び下部と上下方向のクリアランスを有してそれぞれ対向するように取り付けられ、
前記凹陥部の下部と突部との間の上下方向のクリアランスが、前記障子の下框と枠体の下枠との上下方向の掛かり代より小さく、
前記外れ止め部品は、取付部と、この取付部に設けた垂下部と、この垂下部に設けた面外方向に向かう突部とでほぼコ字形状で、
その取付部を上枠における障子の上方に固着することで、突部が上框の凹陥部内に入り込むようにし、
前記外れ止め部品の取付部は上枠に、障子が開き位置のときには突部が一方の縦框と干渉しないと共に、閉じ位置のときには突部が他方の縦框と干渉しないように取り付けられ、
前記外れ止め部品の取付部の面内方向寸法は突部よりも長く、障子が開き位置のときには面内方向一端寄りの固着部が障子よりも面内方向一側方に突出し、障子が閉じ位置のときには面内方向他端寄りの固着部が障子よりも面内方向他側方に突出するようにしたことを特徴とする建具である。
【０００８】
第２の本発明は、枠体に障子を閉じ位置と開き位置に渡って面内方向に移動自在に装着した建具であって、
前記障子の上框は、面外方向一側面に開口し、かつ面外方向に向い、上下方向に対向した上部と下部を有した凹陥部を長手方向に連続して有し、
前記枠体の上枠に、面外方向に向かう突部を有した外れ止め部品が、その突部が前記上框の凹陥部内に長手方向に相対移動可能に入り込み、突部が凹陥部の上部及び下部と上下方向のクリアランスを有してそれぞれ対向するように取り付けられ、
前記凹陥部の下部と突部との間の上下方向のクリアランスが、前記障子の下框と枠体の下枠との上下方向の掛かり代より小さく、
前記外れ止め部品は、取付部と、この取付部に設けた垂下部と、この垂下部に設けた面外方向に向かう突部でほぼクランク形状で、
その取付部を、上枠における障子よりも面外方向他側方にずれた位置に取り付けることで、その突部を前記障子の上框の凹陥部内に入り込むようにし、
前記外れ止め部品の取付部を、上枠における枠体に装着した一方の障子の上方に取り付け、その突部を他方の障子の上框の凹陥部に入り込むようにし、
前記一方の障子が閉じ位置で、他方の障子が開き位置のときには、取付部の面内方向一端寄りの固着部が両方の障子よりも面内方向一側方に突出し、
前記一方の障子が開き位置で、他方の障子が閉じ位置のときには、取付部の面内方向他端寄りの固着部が両方の障子よりも面内方向他側方に突出するようにしたことを特徴とする建具である。
【発明の効果】
【００１３】
第１・第２の本発明によれば、障子が不意に持ち上がった場合に、凹陥部の下部が突部に干渉して持ち上がり量を制限し、下框と下枠の上下方向の掛かり代が小さくならないようにするので、障子が枠体から外れることがない。
また、万が一下枠から下框が外れた場合、下枠が垂れ下がり変形した場合には、凹陥部の上部が突部と干渉するので、障子が枠体から落下しないようにできる。
また、障子を枠体の面内方向任意の位置に装着でき、その障子を枠体に簡単に装着できる。
第１の本発明によれば、外れ止め部品は、取付部と、この取付部に設けた垂下部と、この垂下部に設けた面外方向に向かう突部とでほぼコ字形状で、その取付部を上枠における障子の上方に固着することで、突部が上框の凹陥部内に入り込むので、上枠の下向き凹部に沿って障子の上框を面内方向に移動自在にガイドする場合に、その下向き凹部の底面に取付部を固着して取り付けることで、垂下部を下向き凹部の一方の縦面と上框との間を通して下方に突出することで突部を上框の凹陥部内に入り込むようにできる。
また、外れ止め部品の取付部は上枠に、障子が開き位置のときには突部が一方の縦框と干渉しないと共に、閉じ位置のときには突部が他方の縦框と干渉しないように取り付けられ、前記外れ止め部品の取付部の面内方向寸法は突部よりも長く、障子が開き位置のときには面内方向一端寄りの固着部が障子よりも面内方向一側方に突出し、障子が閉じ位置のときには面内方向他端寄りの固着部が障子よりも面内方向他側方に突出するので、障子を開き位置と閉じ位置に渡って移動できる。外れ止め部品の取付部を上枠に固着するときに障子が邪魔にならないので、外れ止め部品を簡単に取り付けできる。外れ止め部品の取付部を上枠に固着するときに障子が邪魔にならないので、外れ止め部品を簡単に取り付けできる。
第２の本発明によれば、外れ止め部品は、取付部と、この取付部に設けた垂下部と、この垂下部に設けた面外方向に向かう突部でほぼクランク形状で、その取付部を、上枠における障子よりも面外方向他側方にずれた位置に取り付けることで、その突部を前記障子の上框の凹陥部内に入り込むので、枠体に装着した一方の障子の上方に取付部を取り付け、他方の障子の上框の凹陥部内に突部を入り込むようにして他方の障子が枠体から外れることがないようにできるので、引違い窓に適用することができる。
また、外れ止め部品の取付部を、上枠における枠体に装着した一方の障子の上方に取り付け、その突部を他方の障子の上框の凹陥部に入り込むようにし、前記一方の障子が閉じ位置で、他方の障子が開き位置のときには、取付部の面内方向一端寄りの固着部が両方の障子よりも面内方向一側方に突出し、前記一方の障子が開き位置で、他方の障子が閉じ位置のときには、取付部の面内方向他端寄りの固着部が両方の障子よりも面内方向他側方に突出するので、外れ止め部品の取付部を上枠に固着するときに、両方の障子が邪魔にならないので、外れ止め部品を簡単に取り付けできる。
【図面の簡単な説明】
【００１４】
【図１】本発明の建具の内観図である。
【図２】本発明の建具を建物躯体に取り付けた縦断面図である。
【図３】本発明の建具を建物躯体に取り付けた横断面図である。
【図４】本発明の建具の縦断面図である。
【図５】本発明の建具の横断面図である。
【図６】障子の拡大縦断面図である。
【図７】障子の拡大横断面図である。
【図８】外れ止め部品の斜視図である。
【図９】外れ止め部品の取付説明図である。
【図１０】外れ止め部品の取付説明図である。
【図１１】障子の装着動作の説明図である。
【図１２】本発明の第２の実施の形態を示す建具の縦断面図である。
【図１３】上枠と外れ止め部品を取り外した状態の斜視図である。
【図１４】外れ止め部品の取付説明図である。
【図１５】外れ止め部品の取付説明図である。
【図１６】外れ止め部品の取付説明図である。
【発明を実施するための形態】
【００１５】
図１は、本発明の建具である引違い窓の内観図で、枠体１に室内側障子２ａと室外側障子２ｂが開き位置と閉じ位置とに渡って面内方向に移動自在に装着して引違い窓３としてある。
前述した枠体１は、上枠１０と下枠１１と左右の縦枠１２で矩形状である。
前述した室内側障子２ａ、室外側障子２ｂは、上框２０と下框２１と左右一方の縦框（戸当り框）２２と左右他方の縦框（召合せ框）２３を矩形状に連結し、その内部にガラスなどのパネル２４が取り付けてある。
本発明の建具は、引違い窓に限ることはなく、片引き窓などであっても良い。つまり、本発明の建具は、枠体に障子を開き位置と閉じ位置に渡って面内方向に移動自在に装着したものである。
【００１６】
図２と図３に示すように、前述の引違い窓３は建物躯体４の開口部５における室内側寄りに取り付けてある。
この開口部５の室外側寄りに室外側引違い窓６を取り付けて内窓と外窓を有した二重窓としてある。
そして、内窓である本発明の引違い窓３は、開口部５の室内側寄りに設けた取付用枠７に固着して取り付けてある。
このようにすることで、外窓である室外側引違い窓６が取り付けてある開口部５の室内側寄りに、本発明の引違い窓３を内窓として簡単に取り付けでき、既存の窓を二重窓とすることができる。
この実施の形態の引違い窓３は、内窓として取り付けられ、その室外側寄りに室外側引違い窓６があるため室外側障子２ｂが枠体１から外れても室外側に落下することがないが、室内側障子２ａが枠体１から外れると室内側に落下することがあるので、室内側障子２ａが枠体１から外れて落下しないように、図１、図２に示すように上枠１０に外れ止め部品３０が取り付けてある。
【００１７】
図４に示すように、上枠１０は面外方向に向かう基板１０ａと、この基板１０ａに設けた室内側垂下板１０ｂ、中間垂下板１０ｃ、室外側垂下板１０ｄとで室内側下向き凹部１０ｅと室外側下向き凹部１０ｆを有し、その室内側下向き凹部１０ｅが室内側障子２ａの上部を面内方向に移動自在にガイドする室内側上ガイドで、室外側下向き凹部１０ｆが室外側障子２ｂの上部を面内方向に移動自在にガイドする室外側上ガイドである。
下枠１１も上枠１０と同様に、基板１１ａ、室内側立上板１１ｂ、中間立上板１１ｃ、室外側立上板１１ｄとで室内側上向き凹部１１ｅと室外側上向き凹部１１ｆを有し、その室内側上向き凹部１１ｅが室内側障子２ａの下部をガイドする室内側下ガイドで、室外側上向き凹部１１ｆが室外側障子２ｂの下部をガイドする室外側下ガイドである。
【００１８】
図５に示すように縦枠１２も上枠１０と同様に、基板１２ａと、室内側内向板１２ｂ、中間内向板１２ｃ、室外側内向板１２ｄとで室内側内向き凹部１２ｅと室外側内向き凹部１２ｆを有し、一方の縦枠１２の室内側内向き凹部１２ｅに室内側障子２ａの戸当り框２２が挿入して閉じ位置となり、他方の縦枠１２の室外側内向き凹部１２ｆに室外側障子２ｂの戸当り框２２が挿入して閉じ位置となる。
【００１９】
室内側障子２ａ、室外側障子２ｂの下框２１（障子下部）が下枠１１の室内側上向き凹部１１ｅ、室外側上向き凹部１１ｆ内に面内方向に移動自在に挿入され、戸車２５がレール２６に接し、各下框２１は下枠１１と上下方向に掛かり合って下框２１が下枠１１に対して面外方向には動かないで、面内方向には移動自在となる。
室内側障子２ａ、室外側障子２ｂの上框２０（障子上部）が上枠１０の室内側下向き凹部１０ｅ、室外側下向き凹部１０ｆ内に面内方向に移動自在に挿入され、各上框２０は上枠１０と上下方向に掛かり合って上框２０は上枠１０に対して面外方向には動かないで、面内方向には移動自在となる。上框２０の上面２０ａが室内側下向き凹部１０ｅ、室外側下向き凹部１０ｆの底面（基板１０ａの下面）と上下方向に離れている。
これにより、室内側障子２ａ、室外側障子２ｂは室内側下向き凹部１０ｅ、室内側上向き凹部１１ｅ、室内側下向き凹部１０ｆ、室外側上向き凹部１１ｆに沿って面内方向に移動自在に装着される。
【００２０】
室内側障子２ａの上框２０は、その上框２０の面外方向一側面２０ｂに開口した凹陥部２０ｃが長手方向に連続して有している。この凹陥部２０ｃは、面外方向に向かう下部２０ｄ、上部２０ｅを有したほぼコ字形状である。
例えば、図６に示すように上框２０は室内側部材４０と室外側部材５０を備えている。その室内側部材４０は縦板４１と、縦板４１の上端部に室外側に向けて設けた上横板４２と、上下中間部に室外側に向けて設けた中間横板４３と、下端部に室外側に向けて設けた下横板４４で断面ほぼ逆Ｅ字形状で、樹脂材より成る。例えば樹脂材を押し出し成形したものである。
前述の下横板４４の端部にシール片４５が一体に設けてある。
【００２１】
室外側部材５０は、室内側縦板５１の上部と下部に室外側に向けて上横板５２と下横板５３を一体に設けたほぼコ字形状の上部５４と、その下横板５３の室外側端に下方に向けて設けた室外側縦板５５を有した金属製、例えばアルミ押出形材で、その上部に室内側部材４０の上部寄りを取り付けることで、前述の凹陥部２０ｃと下向きのパネル取付凹部２０ｆを有する上框２０としてある。
具体的には、室外側部材５０の上横板５１の上面に室内側部材４０の上横板４２が接し、室内側縦板５１の室内側面に縦板４１が接し、中間横板４３の先端係合部４３ａが下横板５３の被係合部５３ａに係合して室内側部材４０と室外側部材５０が連結され、縦板４１の下部寄りと室外側縦板５５が室内外側方向に離隔して対向することで、下向きのパネル取付凹部２０ｆを形成している。
【００２２】
図６、図７に示すように、下框２１、一方の縦框２２、他方の縦框２３は前述の上框２０と同様に室内側部材４０と室外側部材５０で構成されている。
室内側部材４０は上框２０の室内側部材４０と同様な断面形状であるが、室外側部材５０は凹陥部が不要であるから上框２０の上横板５２に相当する外側の横板５２の端部と室外側縦板５５の内側を連結板５６で一体に連結してある。
【００２３】
このようであるから、室内側障子２ａの框組体（上框２０、下框２１、左右の縦框２２，２３）は室外側部が金属で室内側が樹脂となるから、室内側面に結露が生じることがない。
【００２４】
外れ止め部品３０は図８に示すように、取付部３１と、この取付部３１に設けた垂下部３２と、この垂下部３２の下部に設けた突部３３を有している。
この取付部３１は所定の幅と長さと厚さを有する長尺の板状である。
垂下部３２の長さは取付部材３１の長さに比べて短く、幅は厚さと同一で、取付部３１の長手方向中間における幅方向一側部（室外側部）に垂下部３２が一体に設けてある。
突部３３の長さは垂下部３２の長さと比べて短く、厚さは取付部３１の厚さで、垂下部３２の下端における長手方向中間部に幅方向他側部（室内側部）に向けて一体に設けてある。
この突部３３と取付部３１は平行で、外れ止め部材３０はほぼコ字形状である。つまり、図８に示す外れ止め部品３０は１枚のステンレス板を打ち抜き、曲げなどの加工して製作し、取付板と垂下片と突片をするものとしてある。
これに限ることはなく、外れ止め部品３０は鋳造、鍛造あるいはアルミダイキャスト品、樹脂を用いた成形品等とすることができる。
前述の説明で、長さとは枠体１の面内方向に向かう寸法（見付け方向）で、幅とは枠体１の面外方向に向かう寸法（見込み寸法）で、厚さは上下方向に向かう寸法である。
【００２５】
図４に示すように、外れ止め部品３０を上枠１０の室内側下向き凹部１０ｅ内に固着して取り付け、突部３３を上框２０の凹陥部２０ｃ内に突出し、この突部３３と凹陥部２０ｃの下部２０ｄ（例えば下横板５３のビスホール５３ｂの上部）が対向し、室内側障子２ａが上方に移動すると凹陥部２０ｃの下部２０ｄが突部３３に当接し、室内側障子２ａの上方への移動を阻止する。
例えば、取付部３１の長手方向両端寄りをビス３４で室内側下向き凹部１０ｅの底面（基板１０ａ）に固着して取り付け、垂下部３２を上框２０の室外側面と中間垂下板１０ｃ（縦面）との間を通し、突部３３を凹陥部２０ｃ内に突出する。
【００２６】
前述の外れ止め部品３０の突部３３と凹陥部２０ｃの下部２０ｄとの上下方向のクリアランス（隙間）Ａは、下框２１の下端面２１ａと下枠１１の室内側立上板１１ｂの上端面との間の寸法、つまり下框２１（障子下部）と下枠１１との掛かり代Ｂよりも小さい。
前述の外れ止め部品３０の突部３３の先端と上枠１０の室内側垂下板１０ｂとの間のクリアランス（隙間）Ｃが上框２０の見込み寸法Ｄよりも小さい。
この実施の形態では外れ止め部品３０の取付部３１をスペーサ３５を介して室内側下向き凹部１０ｅの底面に取り付け、そのスペーサ３５の厚さを変更することで突部３３の位置を変更し、前述のクリアランスＡの大きさを調節できるようにしてある。
【００２７】
室内側障子２ａが上方に移動すると上框２０の凹陥部２０ｃの底部２０ｄが外れ止め部品３０の突部３３に干渉し、室内側障子２ａの上方への移動量を制限し、下框２１の下面２１ａが下枠１１の室内側立上板１１ｂ（つまり、室内側下ガイド）よりも上方に移動して掛かり合いがなくなったり、その掛かり代が著しく小さくならないようにするので、下框２１と下枠１１は上下方向に十分に掛かり合った状態（掛かり代が大きい状態）を維持する。
このようであるから、室内側障子２ａが不意に持ち上がって場合に、外れ止め部品３０と上框２０とで持ち上がり量を制限し、下框２１と下枠１１（室内側下ガイド）との掛かり代が大きい状態を維持するので、室内側障子２ａが枠体１から外れることがない。
【００２８】
万が一、下框２１が下枠１１（室内側下ガイド）から外れた場合に室内側障子２ａは室内側に向けて下方に移動するが、上框２０の凹陥部２０ｃの上部２０ｅ（例えば上横板５２）が外れ止め部品３０の突部３３に係合し、室内側障子２ａがそれ以上下方に移動しないように外れ止め部品３０が支持するので、室内側障子２ａが室内側に落下することがない。
【００２９】
また、下枠１１が経年変化や障子重量により垂れ下がり変形した場合にも前述と同様に外れ止め部品３０で室内側障子２ａが下方に移動しないように支持するので、室内側障子２ａが室外側に落下することがない。
【００３０】
次に、外れ止め部品３０の取り付けについて説明する。
図９に示すように、外れ止め部品３０は上枠１０の長手方向中間部分に取り付けられ、室内側障子２ａが閉じ位置のときには他方の縦框２３が突部３３に接近し、その突部３３が他方の縦框２３寄りとなり、図１０に示すように、室外側障子２ａを開き位置とした場合には一方の縦框２２が突部３３に接近し、その突部３３が一方の縦框２２寄りとなり、縦框２２，２３が突部３３と干渉せずに室内側障子２ａを開き位置と閉じ位置とに渡って面内方向に移動できるようにしてある。
【００３１】
また、外れ止め部品３０の取付部３１は突部３３よりも著しく長く、図１０に示すように室内側障子２ａが開き位置のときには、その取付部３１の面内方向一端寄りの固着部分３１ａ、例えばビス３４が挿通する孔が室内側障子２ａの一方の縦框２２（つまり、面内方向一端部）よりも面内方向一方側に突出する。
図９に示すように室内側障子２ａが閉じ位置のときには、その取付部３１の面内方向他端寄りの固着部分３１ｂが室内側障子２ａの他方の縦框２３（つまり、面内方向他端部）よりも面内方向他方側に突出するようにしてある。
なお、図９、図１０においては理解を容易とするために各部材の寸法が実際の寸法とは異なるように図示してある。
【００３２】
室内側障子２ａを枠体１から外した状態で、その上框２０に外れ止め部品３０を、その取付部３１が上框２０の上面２０ａに接すると共に、突部３３が凹陥部２０ｃに向かうように載置する。
この状態で室内側障子２ａを持ち上げ、室内側障子２ａを垂直姿勢に対して斜めの姿勢とし、外れ止め部品３０とともに上框２０を上枠１０の室内側下向き凹部１０ｅに挿入し、図１１に示すように上框２０とともに外れ止め部品３０を室内側下向き凹部１０ｅ内に押し込み、下框２１の下面２１ａを下枠１１の室内側立上板１１ｂよりも上方位置とし、室内側障子２ａを垂直姿勢として下方に移動し、下框２１を下枠１１の室内側上向き凹部１１ｅ内に落とし込んで室内側障子２ａを枠体１に装着する。
つまり、外れ止め部品３０を上框２０にあずけて室内側障子２ａを上下けんどん式に吊り込んで枠体１に装着する。
このようであるから、室内側障子２ａを簡単に枠体１に装着することができる。
【００３３】
前述の状態から室内側障子２ａを図１０に示す開き位置とし、外れ止め部品３０の取付部３１の面内方向一端寄りの固着部分３１ａをビス３４で上枠１０に固着する。その後に室内側障子２ｂを図９に示す閉じ位置に移動し、取付部３１の面内方向他端寄りの固着部分３１ｂをビス３４で上枠１０に固着して外れ止め部品３０を上枠１０に取り付ける。
このようであるから、取付部３１を上枠１０に固着する際に室内側障子２ａが邪魔にならないので、外れ止め部品３０を上枠１０に簡単に取り付けできる。
【００３４】
次に、本発明の第２の実施の形態を説明する。
この実施の形態は、図１２に示すように外れ止め部品３０を室外側障子２ｂの上方、つまり上枠１０の室外側下向き凹部１０ｆに取り付けることが前述の実施の形態と異なり、他の構成は同様である。
前述の外れ止め部品３０は、図１３に示すように取付部３１と垂下部３２と突部３３を有する点で前述の外れ止め部品３０と同様であるが、取付部３１の幅方向他側部（室内側部）に垂下部３２が下向きに一体に設けられ、この垂下部３２の下端に突部３３が幅方向他側部（室内側部）に向けて設け、ほぼクランク形状としてある。
前述の上枠１０の中間垂下板１０ｃにおける長手方向中間に、垂下部３２が嵌まり込む大きさの切欠き部１０ｃ−１を形成する。
【００３５】
そして、図１２に示すように、切欠き部１０ｃ−１に垂下部３２を嵌め込み、取付部３１を室外側下向き凹部１０ｆに挿入して基板１０ａにビス３４で固着することで、突部３３が室内側下向き凹部１０ｅに突出し、室内側障子２ａの上框２０の凹陥部２０ｃ内に入り込むように外れ止め部品３０を上枠１０に取り付ける。
【００３６】
前述の外れ止め部品３０は次のようにして取り付けることができる。
枠体１に室外側障子２ｂを上下けんどん式に装着した後に、室内側障子２ａを上下けんどん式に装着する。
そして、図１４に示すように室外側障子２ｂを閉じ位置とすると共に、室内側障子２ａを開き位置とし、外れ止め部品３０を室外側下向き凹部１０ｆにおける面内方向一端寄りに、突部３３が中間垂下板１０ｃと干渉しないようにして設ける。
例えば、図１５に示すように外れ止め部品３０を水平に対して、その取付部３１が、室内側部が室外側部よりも低くなる斜めの状態とし、その垂下部３２の室内側部、突部３３の先端が中間垂下板１０ｃよりも室外側寄り位置となる取付姿勢とし、外れ止め部品３０を室外側下向き凹部１０ｆ内に設ける。
この姿勢を保ち、外れ止め部品３０を室外側下向き凹部１０ｆ内を面内方向他端に向けて移動することで、取付部３１の面内方向他端寄りを室外側下向き凹部１０ｆの底面と室外側障子２ｂの上框２０との間に挿入し、垂下部３２が中間垂下板１０ｃの切欠き部１０ｃ−１に合致させる。
この状態で外れ止め部３０を水平の状態として垂下部３２を切欠き部１０ｃ−１に嵌め込み、突部３３を室内側障子２ａの上框２０の凹陥部２０ｃに入り込ませる。
つまり、外れ止め部品３０は、水平に対して斜めにした状態で、その外れ止め部品３０の面外方向の寸法■（つまり、垂下部３２の室内側端と突部３３の室内側端における室内側寄りとなる室内側端と取付部３１の室外側端との間の面外方向の寸法）が、外側下向き凹部１０ｆの面外方向の寸法Ｙよりも小さくなるようにしてある。
なお、外れ止め部品３０の取り付けは前述に限ることはなく、任意の取り付けが可能である。
【００３７】
そして、取付部３１の面内方向一端寄りの固着部分３１ａをビス３４で基板１０ａに固着する。
つまり、室外側障子２ｂを閉じ位置、室内側障子２ａを開き位置としたときには、取付部３１の面内方向一端寄りの固着部分３１ａが室外側障子２ｂ、室内側障子２ａよりも面内方向一方側に突出するようにしてある。
このとき、突部３３に室内側障子２ａの一方の縦框２２が接近するが、干渉しないようにしてある。
【００３８】
図１６に示すように、室外側障子２ｂを開き位置とすると共に、室内側障子２ａを閉じ位置とし、取付部３１の面内方向他端寄りの固着部分３１ｂをビス３４で基板１０ａに固着する。
つまり、室外側障子２ｂが開き位置、室内側障子２ａを閉じ位置としたときには、取付部３１の面内方向他端寄りの固着部分３１ｂが室外側障子２ｂ、室内側障子２ａよりも面内方向他方側に突出するようにしてある。
このとき、突部３３に室内側障子２ａの他方の縦框２３が接近するが、干渉しないようにしてある。
【００３９】
このようであるから、外れ止め部品３０を取り付ける際に室内側障子２ａ、室外側障子２ｂが邪魔にならないので、外れ止め部品３０を上枠１０における室外側障子２ｂの上方に簡単に取り付けできる。
【００４０】
前述の実施の形態では、室内側障子２ａが外れないようにしたが、外窓がない場合などには室外側障子２ｂが外れないようにしても良い。
例えば、第１の実施の形態の外れ止め部品３０の場合には、取付部３１を上枠１０の室外側下向き凹部１０ｆ内に取り付け、第２の実施の形態の外れ止め部品３０の場合には、取付部３１を上枠１０の室内側下向き凹部１０ｅ内に取り付ける。
また、片引き窓の障子が外れないようにすることができることは勿論である。
【００４１】
前述の実施の形態では、障子の上部をガイドする上ガイドを下向き凹部としたが、上レールとしても良い。
また、障子の下部をガイドする下ガイドを上向き凹部としたが下レールとしても良い。
【符号の説明】
【００４２】
１…枠体、２ａ…室内側障子（他方の障子）、２ｂ…室外側障子（一方の障子）、１０…上枠、１１…下枠、２０…上框、２０ｃ…凹陥部、２０ｄ…下部、２０ｅ…上部、２１…下框、３０…外れ止め部品、３１…取付部、３１ａ…面内方向一端寄りの固着部、３１ｂ…面内方向他端寄りの固着部、３２…垂下部、３３…突部。
【図１】
0005911061.tif 000002
【図２】
0005911061.tif 000003
【図３】
0005911061.tif 000004
【図４】
0005911061.tif 000005
【図５】
0005911061.tif 000006
【図６】
0005911061.tif 000007
【図７】
0005911061.tif 000008
【図８】
0005911061.tif 000009
【図９】
0005911061.tif 000010
【図１０】
0005911061.tif 000011
【図１１】
0005911061.tif 000012
【図１２】
0005911061.tif 000013
【図１３】
0005911061.tif 000014
【図１４】
0005911061.tif 000015
【図１５】
0005911061.tif 000016
【図１６】
0005911061.tif 000017